(57)【要約】【課題】保持容量からの電流のリークを抑え、フリッカーを低減させる。【解決手段】直列に接続された駆動トランジスター１２１およびＯＬＥＤ素子１３０と、駆動トランジスター１２１のゲートと第１給電線１４との間、または、駆動トランジスター１２１のゲートと駆動トランジスター１２１およびＯＬＥＤ素子１３０の接続ノードＮＤとの間に接続された保持容量１３２と、駆動トランジスター１２１のゲートとの間に設けられた選択トランジスター１２２と、駆動回路２０とを備える。駆動回路２０は、書込期間に選択トランジスター１２２をオン状態に設定して、データ電圧ＶＤをデータ線１６へ出力し、書込期間の後の発光期間に選択トランジスター１２２をオフ状態に設定して、高電位側の電源電圧ＶＥＬと、低電位側の電源電圧ＶＣＴとの間の電圧差を、１フレーム期間内（１Ｖ）で単調増加させる。【選択図】図７
2017223855.tif 000002
【特許請求の範囲】
【請求項１】
画素回路と、前記画素回路を駆動する駆動回路とを具備し、
前記画素回路は、
第１給電線と第２給電線との間に直列に接続された駆動トランジスターおよび発光素子と、
前記駆動トランジスターのゲートと前記第１給電線との間、または、前記駆動トランジスターのゲートと前記駆動トランジスターおよび前記発光素子の接続ノードとの間に接続された保持容量と、
前記発光素子の指定階調に応じた画像データが出力されるデータ線と、前記駆動トランジスターのゲートとの間に設けられたスイッチング素子と、を備え、
前記駆動回路は、
書込期間において、前記スイッチング素子をオン状態に設定して、前記画像データを前記データ線へ出力し、
前記書込期間の後の発光期間において、前記スイッチング素子をオフ状態に設定して、前記第１給電線に印加する高電位側の電源電圧と、前記第２給電線に印加する低電位側の電源電圧との間の電圧差を、１垂直走査期間内において単調増加させる、
ことを特徴とする電気光学装置。
【請求項２】
使用者の操作に応じて電圧値を設定する電圧値設定部を備え、
前記駆動回路は、前記電圧値設定部により設定された前記電圧値を開始電圧または到達電圧として、前記電圧差を１垂直走査期間内において単調増加させる、
ことを特徴とする請求項１に記載の電気光学装置。
【請求項３】
前記駆動回路は、１垂直走査期間内において前記第１給電線に印加する高電位側の電源電圧を増加させることにより前記電圧差を単調増加させる、
ことを特徴とする請求項１または請求項２に記載の電気光学装置。
【請求項４】
前記駆動回路は、１垂直走査期間内において前記第２給電線に印加する低電位側の電源電圧を減少させることにより前記電圧差を単調増加させる、
ことを特徴とする請求項１ないし請求項３のいずれか一に記載の電気光学装置。
【請求項５】
前記画素回路の温度を検出する温度検出部を備え、
前記駆動回路は、前記温度検出部により検出した温度に応じて、前記電圧差を単調増加させる程度を変化させる、
ことを特徴とする請求項１ないし請求項４のいずれか一に記載の電気光学装置。
【請求項６】
画素回路と、前記画素回路を駆動する駆動回路とを具備し、前記画素回路は、第１給電線と第２給電線との間に直列に接続された駆動トランジスターおよび発光素子と、前記駆動トランジスターのゲートと前記第１給電線との間、または、前記駆動トランジスターのゲートと前記駆動トランジスターおよび前記発光素子の接続ノードとの間に接続された保持容量と、前記発光素子の指定階調に応じた画像データが出力されるデータ線と、前記駆動トランジスターのゲートとの間に設けられたスイッチング素子と、を備える電気光学装置の駆動方法であって、
書込期間において、前記スイッチング素子をオン状態に設定し、
前記画像データを前記データ線へ出力し、
前記書込期間の後の発光期間において、前記スイッチング素子をオフ状態に設定し、
前記第１給電線に印加する高電位側の電源電圧と、前記第２給電線に印加する低電位側の電源電圧との間の電圧差を、１垂直走査期間内において単調増加させる、
ことを特徴とする電気光学装置の駆動方法。
【請求項７】
請求項１から請求項５のいずれか一に記載の電気光学装置を備える電子機器。
【発明の詳細な説明】
【技術分野】
【０００１】
本発明は、電気光学装置、電気光学装置の駆動方法、および電子機器に関する。
【背景技術】
【０００２】
近年、有機ＥＬ（Electro Luminescent）素子や発光ポリマー素子などと呼ばれる有機発光ダイオード（Organic Light Emitting Diode、以下「ＯＬＥＤ」という）素子などの発光素子を用いた電気光学装置が各種提案されている（例えば特許文献１参照）。
【０００３】
特許文献１の電気光学装置は、画素回路内に、ＯＬＥＤ素子と、駆動トランジスターと、発光制御トランジスターと、スイッチング素子とを備える。特許文献１の電気光学装置は、書込期間においては、ＯＬＥＤ素子の指定階調に応じた画像データの電位がデータ線に出力される。このとき、スイッチング素子はオン状態に設定されるので、画像データの電位は、スイッチング素子を介して保持容量に書き込まれる。画像データの書込期間の後の発光期間においては、スイッチング素子がオフ状態に設定され、駆動トランジスターと発光制御トランジスターとはオン状態に設定される。これにより、保持容量に蓄積された電荷が駆動トランジスターと発光制御トランジスターを介してＯＬＥＤ素子に流れ込み、ＯＬＥＤ素子が発光する。
【先行技術文献】
【特許文献】
【０００４】
【特許文献１】特開２００９−２５４１３号公報
【発明の概要】
【発明が解決しようとする課題】
【０００５】
前記特許文献１の技術では、保持容量からの電流のリークが発生し、１垂直走査期間内においてＯＬＥＤ素子の発光強度が低下することによってフリッカーが発生することがあった。
以上の事情に鑑みて、本発明は、フリッカーを低減させることのできる電気光学装置、電気光学装置の駆動方法、および電子機器を提供することを解決課題とする。
【０００６】
以上の課題を解決するために、本発明に係る電気光学装置の一態様は、画素回路と、前記画素回路を駆動する駆動回路とを具備し、前記画素回路は、第１給電線と第２給電線との間に直列に接続された駆動トランジスターおよび発光素子と、前記駆動トランジスターのゲートと前記第１給電線との間、または、前記駆動トランジスターのゲートと前記駆動トランジスターおよび前記発光素子の接続ノードとの間に接続された保持容量と、前記発光素子の指定階調に応じた画像データが出力されるデータ線と、前記駆動トランジスターのゲートとの間に設けられたスイッチング素子と、を備え、前記駆動回路は、書込期間において、前記スイッチング素子をオン状態に設定して、前記画像データを前記データ線へ出力し、前記書込期間の後の発光期間において、前記スイッチング素子をオフ状態に設定して、前記第１給電線に印加する高電位側の電源電圧と、前記第２給電線に印加する低電位側の電源電圧との間の電圧差を、１垂直走査期間内において単調増加させる、ことを特徴とする。
【０００７】
前記態様においては、保持容量からのリーク電流は、スイッチング素子のオフ直後からスイッチング素子のオン直前までの１垂直走査期間内において単調増加する。その結果、当該保持容量を備える画素回路の輝度は、前記１垂直走査期間内において単調減少する。しかし、駆動回路は、第１給電線に印加する高電位側の電源電圧と、第２給電線に印加する低電位側の電源電圧との間の電圧差を、前記１垂直走査期間内において単調増加させる。したがって、保持容量からのリーク電流の前記１垂直走査期間内における増加が抑えられ、その結果、当該保持容量を備える画素回路におけるスイッチング素子のオフ直後からスイッチング素子のオン直前までの輝度差が緩和され、フリッカーを低減させる。
【０００８】
前記態様において、使用者の操作に応じて電圧値を設定する電圧値設定部を備え、前記駆動回路は、前記電圧値設定部により設定された前記電圧値を開始電圧または到達電圧として、前記電圧差を１垂直走査期間内において単調増加させてもよい。この態様によれば、駆動回路が前記電圧差を前記１垂直走査期間内において単調増加させても、前記輝度差の緩和の程度が低い場合がある。この場合には、使用者が電圧値設定部を操作することにより、電圧値設定部は、当該操作に応じて電圧値を設定する。駆動回路は、前記電圧値設定部により設定された前記電圧値を開始電圧または到達電圧として、前記電圧差を１垂直走査期間内において単調増加させる。したがって、保持容量からのリーク電流の前記１垂直走査期間内における増加がより一層抑えられ、当該保持容量を備える画素回路におけるスイッチング素子のオフ直後からスイッチング素子のオン直前までの輝度差が緩和され、フリッカーを低減させる。
【０００９】
前記態様において、前記駆動回路は、１垂直走査期間内において前記第１給電線に印加する高電位側の電源電圧を増加させることにより前記電圧差を単調増加させてもよい。この態様によれば、１垂直走査期間内において第１給電線に印加する高電位側の電源電圧を増加させることで、高電位側の電源電圧と、第２給電線に印加する低電位側の電源電圧との間の電圧差が１垂直走査期間内において単調増加する。したがって、保持容量からのリーク電流の前記１垂直走査期間内における増加が抑えられ、スイッチング素子のオフ直後からスイッチング素子のオン直前までの輝度差が緩和され、フリッカーを低減させる。
【００１０】
前記態様において、前記駆動回路は、１垂直走査期間内において前記第２給電線に印加する低電位側の電源電圧を減少させることにより前記電圧差を単調増加させてもよい。この態様によれば、１垂直走査期間内において第２給電線に印加する低電位側の電源電圧を減少させることで、低電位側の電源電圧と、第１給電線に印加する高電位側の電源電圧との間の電圧差が１垂直走査期間内において単調増加する。したがって、保持容量からのリーク電流の前記１垂直走査期間内における増加が抑えられ、スイッチング素子のオフ直後からスイッチング素子のオン直前までの輝度差が緩和され、フリッカーを低減させる。
【００１１】
前記態様において、前記画素回路の温度を検出する温度検出部を備え、前記駆動回路は、前記温度検出部により検出した温度に応じて、前記電圧差を単調増加させる程度を変化させてもよい。この態様によれば、温度検出部によって画素回路の温度を検出し、検出した温度に応じて、前記電圧差を単調増加させる程度を変化させる。したがって、画素回路の温度が上昇して保持容量からのリーク電流も増加しても、それに応じて前記電圧差を単調増加させる程度を大きくすることが可能となる。その結果、保持容量からのリーク電流の前記１垂直走査期間内における増加が抑えられ、スイッチング素子のオフ直後からスイッチング素子のオン直前までの輝度差が緩和され、フリッカーを低減させる。
【００１２】
以上の課題を解決するために、本発明に係る電気光学装置の駆動方法の一態様は、画素回路と、前記画素回路を駆動する駆動回路とを具備し、前記画素回路は、第１給電線と第２給電線との間に直列に接続された駆動トランジスターおよび発光素子と、前記駆動トランジスターのゲートと前記第１給電線との間、または、前記駆動トランジスターのゲートと前記駆動トランジスターおよび前記発光素子の接続ノードとの間に接続された保持容量と、前記発光素子の指定階調に応じた画像データが出力されるデータ線と、前記駆動トランジスターのゲートとの間に設けられたスイッチング素子と、を備える電気光学装置の駆動方法であって、書込期間において、前記スイッチング素子をオン状態に設定し、前記画像データを前記データ線へ出力し、前記書込期間の後の発光期間において、前記スイッチング素子をオフ状態に設定し、前記第１給電線に印加する高電位側の電源電圧と、前記第２給電線に印加する低電位側の電源電圧との間の電圧差を、１垂直走査期間内において単調増加させる、ことを特徴とする。以上の駆動方法によっても本発明に係る電気光学装置と同様の効果が得られる。
【００１３】
本発明の電子機器の一態様は、上述した電気光学装置を備える。そのような電子機器は、フリッカーの少ない高品質の画像表示が可能になる。
【図面の簡単な説明】
【００１４】
【図１】本発明の第１実施形態に係る電気光学装置の構成を示す斜視図である。
【図２】表示パネルのブロック図である。
【図３】画素回路の回路図である。
【図４】画素回路の動作を説明するための図である。
【図５】画素回路の動作を説明するための図である。
【図６】比較例における表示パネルに中間調の画像を表示させた際の任意の測定点における輝度計の出力波形を示す図である。
【図７】第１実施形態における高電位側の電源電圧の波形を示す図である。
【図８】第１実施形態における表示パネルに中間調の画像を表示させた際の任意の測定点における輝度計の出力波形を示す図である。
【図９】本発明の第２実施形態に係る電気光学装置における表示パネルのブロック図である。
【図１０】本発明の変形例に係る低電位側の電源電圧の波形を示す図である。
【図１１】本発明の変形例に係る高電位側と低電位側の電源電圧の波形を示す図である。
【図１２】本発明の変形例に係る画素回路の回路図である。
【図１３】本発明に係る電子機器の具体的な形態を示す斜視図である。
【図１４】本発明に係る電子機器の具体的な形態を示す斜視図である。
【図１５】本発明に係る電子機器の具体的な形態を示す斜視図である。
【発明を実施するための形態】
【００１５】
＜Ａ：第１実施形態＞
図１は、本発明の第１実施形態に係る電気光学装置１の構成を示す斜視図である。電気光学装置１は、画像を表示する表示パネル２と、表示パネル２の動作を制御する制御部５とを備える。
表示パネル２は、複数の画素回路と、当該画素回路を駆動する駆動回路とを備える。本実施形態において、表示パネル２が備える複数の画素回路及び駆動回路は、シリコン基板に形成され、画素回路には、発光素子の一例であるＯＬＥＤが用いられる。また、表示パネル２は、例えば、表示部で開口する枠状のケース５０１に収納されるとともに、ＦＰＣ（Flexible Printed Circuits）基板５０２の一端が接続される。
ＦＰＣ基板５０２には、半導体チップの制御部５が、ＣＯＦ（Chip On Film）技術によって実装されるとともに、複数の端子５０３が設けられて、図示省略された上位回路に接続される。
【００１６】
図２は、表示パネル２の概略構成を示すブロック図である。図２に示すように、表示パネル２は、複数の画素回路Ｐが配列された素子部１０と、各画素回路Ｐを駆動する駆動回路２０とを具備する。駆動回路２０は、走査線駆動回路２１と、データ線駆動回路２３と、電位生成回路２５とを含んで構成される。駆動回路２０は、例えば複数の集積回路に分散して実装される。ただし、駆動回路２０の少なくとも一部は、画素回路Ｐとともに基板上に形成された薄膜トランジスターで構成され得る。
【００１７】
素子部１０には、Ｘ方向に延在するｍ本の走査線１２と、各走査線１２と対をなしてＸ方向に延在するｍ本の第１給電線１４と、Ｘ方向に交差するＹ方向に延在するｎ本のデータ線１６とが形成される（ｍ，ｎは自然数）。複数の画素回路Ｐは、走査線１２および第１給電線１４の対とデータ線１６との交差に配置されて縦ｍ行×横ｎ列の行列状に配列される。走査線駆動回路２１は、走査信号ＧWR[１]〜ＧWR[ｍ]を各走査線１２に出力する。データ線駆動回路２３は、各画素回路Ｐに指定される階調（以下「指定階調」という）に応じた画像データのデータ信号ＶＤ[１]〜ＶＤ[ｎ]を各データ線１６に出力する。
【００１８】
電位生成回路２５は、高電位側の電源電圧ＶＥＬと、低電位側の電源電圧ＶＣＴとを生成する。電位生成回路２５は、各第１給電線１４に電源電圧ＶＥＬを出力する。説明の便宜上、第ｉ行目の第１給電線１４に出力される電源電圧ＶＥＬをＶＥＬ[ｉ]と表記する。また、電位生成回路２５は、各第２給電線１８に電源電圧ＶＣＴを出力する。説明の便宜上、第ｉ行目の第２給電線１８に出力される電源電圧ＶＣＴをＶＣＴ[ｉ]と表記する。
本実施形態では、一例として、高電位側の電源電圧ＶＥＬは１５Ｖであり、低電位側の電源電圧ＶＣＴは０Ｖに設定されている。
【００１９】
図３は、画素回路Ｐの回路図である。画素回路Ｐは電気的にみれば互いに同一構成なので、ここでは、ｍ行ｎ列に位置する画素回路Ｐを例にとって説明する。図３に示されるように、画素回路Ｐは、ＰチャネルＭＯＳ型の駆動トランジスター１２１と、ＰチャネルＭＯＳ型のスイッチング素子としての選択トランジスター１２２と、ＯＬＥＤ素子１３０と、保持容量１３２とを備える。
【００２０】
選択トランジスター１２２は、ゲートが、ｍ行目の走査線１２に電気的に接続され、ソースまたはドレインの一方が、ｎ列目のデータ線１６に電気的に接続されている。また、選択トランジスター１２２は、ソースまたはドレインの他方が、駆動トランジスター１２１のゲートおよび保持容量１３２の一端にそれぞれ電気的に接続されている。また、選択トランジスター１２２のゲートには、走査線駆動回路２１からｍ行目の走査線１２を介して、走査信号ＧWR[ｍ]が供給される。すなわち、選択トランジスター１２２は、駆動トランジスター１２１のゲートとデータ線１６との間に電気的に接続され、駆動トランジスター１２１のゲートとデータ線１６との間の電気的な接続を制御する。
【００２１】
駆動トランジスター１２１は、ソースが第１給電線１４に、ドレインがＯＬＥＤ素子１３０のアノードに、それぞれ電気的に接続されている。ここで、第１給電線１４には、画素回路Ｐにおいて高電位側となる電源電圧ＶＥＬが給電される。この駆動トランジスター１２１は、駆動トランジスター１２１のゲート及びソース間の電圧に応じた電流を、ＯＬＥＤ素子１３０に供給する。
【００２２】
本実施形態において表示パネル２はシリコン基板に形成されるので、駆動トランジスター１２１、および選択トランジスター１２２の基板電位は電源電圧ＶＥＬとしている。
なお、上記における駆動トランジスター１２１および選択トランジスター１２２のソース、ドレインは駆動トランジスター１２１および選択トランジスター１２２のチャネル型、電位の関係に応じて入れ替わってもよい。また、トランジスターは薄膜トランジスターであっても電界効果トランジスターであってもよい。
【００２３】
ＯＬＥＤ素子１３０のアノードは、画素回路Ｐごとに個別に設けられる画素電極である。これに対して、ＯＬＥＤ素子１３０のカソードは、各行の画素回路Ｐにわたって共通の第２給電線１８と接続されている。
ＯＬＥＤ素子１３０は、前記シリコン基板において、ＯＬＥＤ素子１３０のアノードと光透過性を有するカソードとで白色有機ＥＬ層を挟持した素子である。そして、ＯＬＥＤ素子１３０の出射側（カソード側）にはＲＧＢのいずれかに対応したカラーフィルターが重ねられる。
【００２４】
このようなＯＬＥＤ素子１３０において、アノードからカソードに電流が流れると、アノードから注入された正孔とカソードから注入された電子とが有機ＥＬ層で再結合して励起子が生成され、白色光が発生する。このときに発生した白色光は、シリコン基板（アノード）とは反対側のカソードを透過し、カラーフィルターによる着色を経て、観察者側に視認される構成となっている。
【００２５】
保持容量１３２は、一端が駆動トランジスター１２１のゲートに、他端が第１給電線１４に、それぞれ電気的に接続されている。したがって、選択トランジスター１２２がオフしている間、駆動トランジスター１２１のゲート・ソース間の電圧は、保持容量１３２によって一定の値に保たれることになる。
【００２６】
より具体的には、走査線駆動回路２１がｍ行目の走査線１２を走査する水平走査期間において選択トランジスター１２２がオンして、図４に示すように、駆動トランジスター１２１のゲートノードにデータ信号ＶＤ[n]が供給される。図４は書込期間における画素回路Ｐの動作を説明するための図である。このように、本実施形態においは、書込期間において、スイッチング素子としての選択トランジスター１２２をオン状態に設定して、画像データであるデータ信号ＶＤ[n]を駆動トランジスター１２１のゲートノードに出力する。
その後、選択トランジスター１２２がオフすると、駆動トランジスター１２１のゲートノードの電位は、保持容量１３２によって、データ信号ＶＤ[n]の示す電位に維持される。ＯＬＥＤ素子１３０には、図５に示すように、駆動トランジスター１２１のゲート・ソース間の電位に応じた電流が供給される。図５は発光期間における画素回路Ｐの動作を説明するための図である。したがって、選択トランジスター１２２がオフしてから、１フレームの期間の経過後に再び選択トランジスター１２２がオンするまでの間、ＯＬＥＤ素子１３０はデータ信号ＶＤ[n]に規定される階調を表示することになる。
なお、保持容量１３２としては、駆動トランジスター１２１のゲートノードに寄生する容量を用いてもよいし、シリコン基板において互いに異なる導電層で絶縁層を挟持することによって形成される容量を用いてもよい。
【００２７】
しかしながら、選択トランジスター１２２をオフ状態にしてから、１フレームの期間の経過後に再び選択トランジスター１２２がオンするまでの間、保持容量１３２から電流が徐々にリークし、保持容量１３２の電位が低下する。図６は、比較例における表示パネル２に中間調の画像を表示させた際、任意の測定点における輝度を輝度計により測定し、オシロスコープに表示させた当該輝度計の出力波形を示すものである。図６に示すように、画素の輝度は１フレームの期間（１Ｖ）ごとに単調減少することがわかる。そして、１フレームの期間の初めの輝度と、１フレームの期間の終わりの輝度との輝度差がフリッカーとして認識される。
【００２８】
画素の輝度が１フレームの期間ごとに単調減少するのは、保持容量１３２のリーク電流が１フレームの期間ごとに単調増加しているためと考えられる。そこで、本実施形態では、図７に示すように、保持容量１３２のリーク電流の単調増加にさせて、高電位側の電源電圧ＶＥＬを１フレームの期間ごとに単調増加させる。言い換えれば、第１給電線１４に印加する高電位側の電源電圧ＶＥＬと、第２給電線１８に印加する低電位側の電源電圧ＶＣＴとの間の電圧差を、１垂直走査期間内において単調増加させる。
本実施形態では、一例として、高電位側の電源電圧ＶＥＬの上限の電圧値ＶＥＬ＿Ｈを１５Ｖに設定し、電源電圧ＶＥＬの下限の電圧値ＶＥＬ＿Ｌを１４．８Ｖに設定している。このように設定した上で、高電位側の電源電圧ＶＥＬを１フレームの期間ごとに下限の電圧値ＶＥＬ＿Ｌから上限の電圧値ＶＥＬ＿Ｈまで単調増加させる。
【００２９】
高電位側の電源電圧ＶＥＬと、低電位側の電源電圧ＶＣＴとの間の電圧差を１フレームの期間内において単調増加させることにより、保持容量１３２のリーク電流の１フレームの期間内における増加が抑えられる。その結果、図８に示すように、１フレームの期間の初めの輝度と、１フレームの期間の終わりの輝度との輝度差が、図６に比べて小さくなっていることがわかる。図８は、図６と同じ測定点における輝度を輝度計により測定し、オシロスコープに表示させた当該輝度計の出力波形を示すものである。以上のように、本実施形態によれば、発光期間においては、スイッチング素子としての選択トランジスター１２２をオフ状態に設定してから、次に選択トランジスター１２２をオン状態に設定するまでの間、高電位側の電源電圧ＶＥＬを単調増加させる。その結果、１フレームの期間の初めの輝度と、１フレームの期間の終わりの輝度との輝度差を小さくすることができる。その結果、フリッカーを低減させることができる。
【００３０】
保持容量１３２のリーク電流は、個々の保持容量１３２の特性、または個々の表示パネル２の特性によっても異なるため、本実施形態では図２に示すように電圧値設定部２６を備えて電圧値の調整が可能になっている。電圧値設定部２６は、表示パネル２に設けられたボリューム等と接続されており、また、電位生成回路２５と接続されている。
表示パネル２の調整を行う際には、表示パネル２に所定の階調の画像を表示させ、表示パネル２に表示された画像を確認しながら、使用者がボリューム等を操作する。例えば、電圧値を増加させる方向にボリューム等が操作された場合には、電圧値設定部２６は、下限の電圧値ＶＥＬ＿Ｌまたは上限の電圧値ＶＥＬ＿Ｈを増加させる。電位生成回路２５は、電圧値設定部２６によって設定された下限の電圧値ＶＥＬ＿Ｌを開始電圧として、あるいは、上限の電圧値ＶＥＬ＿Ｈを到達電圧として、高電位側の電源電圧ＶＥＬを１フレームの期間内で単調増加させる。
このように、本実施形態においては、表示パネル２のフリッカーの状態を確認しながら、下限の電圧値ＶＥＬ＿Ｌまたは上限の電圧値ＶＥＬ＿Ｈの調整が可能となっている。したがって、個々の保持容量１３２の特性、または個々の表示パネル２の特性が異なる場合でも、適切にフリッカーを低減させることができる。
なお、使用者がボリューム等を操作する段階においては、電圧値ＶＥＬを一定の値としてもよいし、予め設定した下限の電圧値ＶＥＬ＿Ｌまたは上限の電圧値ＶＥＬ＿Ｈに基づいて、単調増加させるようにしてもよい。さらに、使用者がボリューム等を操作する段階において、電圧値ＶＥＬを一定の値とするか、あるいは、予め設定した下限の電圧値ＶＥＬ＿Ｌまたは上限の電圧値ＶＥＬ＿Ｈに基づいて、単調増加させるかを選択できるようにしておいてもよい。
【００３１】
＜Ｂ：第２実施形態＞
本発明の第２実施形態について図面を参照しつつ説明する。図９は第２実施形態における表示パネル２の概略構成を示すブロック図である。図９に示すように、本実施形態においては、画素回路Ｐの温度を検出する温度検出部２７を備えている。温度検出部２７は、電位生成回路２５に接続されている。電位生成回路２５は、温度検出部２７により検出した温度に応じて、高電位側の電源電圧ＶＥＬと、低電位側の電源電圧ＶＣＴとの間の電圧差の１垂直走査期間内において単調増加させる程度を変化させる。
【００３２】
保持容量１３２からのリーク電流は、温度が高い程多くなると考えられる。そこで、本実施形態においては、画素回路Ｐを含む表示パネル２の温度を温度検出部２７により検出し、電圧値設定部２６は、検出した温度に応じて下限の電圧値ＶＥＬ＿Ｌまたは上限の電圧値ＶＥＬ＿Ｈを変化させる。例えば、検出した温度が所定温度を超えた場合には、下限の電圧値ＶＥＬ＿Ｌまたは上限の電圧値ＶＥＬ＿Ｈを増加させる。その結果、保持容量１３２からのリーク電流が抑えられ、フリッカーが低減される。
【００３３】
以上のように、本実施形態によれば、温度が変化した場合でも、適切にフリッカーを低減させることができる。
【００３４】
＜Ｃ：変形例＞
本発明は上述の各実施形態に限定されるものではなく、例えば、以下の変形が可能である。また、以下に示す変形例のうちの２以上の変形例を組み合わせることもできる。
【００３５】
（１）変形例１
上述した実施形態では、高電位側の電源電圧ＶＥＬを１フレーム期間内において単調増加させたが、図１０に示すように、低電位側の電源電圧ＶＣＴを１フレーム期間内において単調減少させてもよい。このようにしても、高電位側の電源電圧ＶＥＬと、低電位側の電源電圧ＶＣＴとの間の電圧差を、１フレーム期間内、すなわち１垂直走査期間内において単調増加させることが可能である。
図１０に示す例では、低電位側の電源電圧ＶＣＴの下限の電圧値ＶＥＬ＿Ｌを０Ｖに設定し、電源電圧ＶＣＴの上限の電圧値ＶＣＴ＿Ｈを０．１Ｖに設定している。このように設定した上で、低電位側の電源電圧ＶＣＴを１フレームの期間ごとに上限の電圧値ＶＣＴ＿Ｈから下限の電圧値ＶＣＴ＿Ｌまで単調減少させる。
【００３６】
（２）変形例２
図１１に示すように、高電位側の電源電圧ＶＥＬを１フレーム期間内において単調増加させると共に、低電位側の電源電圧ＶＣＴを１フレーム期間内において単調減少させてもよい。このようにしても、高電位側の電源電圧ＶＥＬと、低電位側の電源電圧ＶＣＴとの間の電圧差を、１フレーム期間内、すなわち１垂直走査期間内において単調増加させることが可能である。
【００３７】
（３）変形例３
上述した実施形態では、画素回路１１０における駆動トランジスター１２１および選択トランジスター１２２をＰチャネル型で統一したが、Ｎチャネル型で統一しても良い。また、Ｐチャネル型及びＮチャネル型を適宜組み合わせても良い。
図１２は、駆動トランジスター１２１および選択トランジスター１２２をＮチャネル型で統一した例である。この場合には、駆動トランジスター１２１のゲートと、駆動トランジスター１２１とＯＬＥＤ素子１３０の接続ノードＮＤとの間に接続された保持容量１３３を設ける。また、接続ノードＮＤと接地電位が供給される電源線との間に接続された保持容量１３４を設ける。
【００３８】
各トランジスターをＮチャネル型で統一する場合には、上述した実施形態におけるデータ信号ＶＤ[n]とは正負が逆転した電圧を、各画素回路１１０に供給すればよい。また、この場合、各トランジスターのソースおよびドレインは、上述した実施形態とは逆転した関係となる。
なお、上述した実施形態及び変形例では、各トランジスターはＭＯＳ型のトランジスターとしたが、薄膜トランジスターであってもよい。
【００３９】
（４）変形例４
上述した実施形態及び変形例では、電源電圧ＶＥＬの下限の電圧値ＶＥＬ＿Ｌ、または電源電圧ＶＣＴの上限の電圧値ＶＣＴ＿Ｈ、あるいは電源電圧ＶＥＬの下限の電圧値ＶＥＬ＿Ｌおよび電源電圧ＶＣＴの上限の電圧値ＶＣＴ＿Ｈの両方を調整した。しかし、本発明はこれらのような構成に限定される訳ではなく、電源電圧ＶＥＬの下限の電圧値ＶＥＬ＿Ｌから上限の電圧値ＶＥＬ＿Ｈまでの傾き、または電源電圧ＶＥＬの上限の電圧値ＶＥＬ＿Ｈから電源電圧ＶＥＬの下限の電圧値ＶＥＬ＿Ｌまでの傾き、あいるはこれらの両方を調整できるようにしてもよい。
例えば、電源電圧ＶＥＬ用または電源電圧ＶＣＴ用あるいはこれらの両方用にラダー抵抗で複数の電圧を用意しておく。そして、１垂直走査期間内でこれら電圧を選択して切り替えて使用するようにしてよい。切替方法は例えば駆動回路２０のレジスターの設定で対応する方法が挙げられる。
【００４０】
（５）変形例５
発光素子は、ＯＬＥＤ素子であってもよいし、無機発光ダイオードやＬＥＤ（Light Emitting Diode）であってもよい。要は、電気エネルギーの供給（電界の印加や電流の供給）に応じて発光する総ての素子を本発明の発光素子として利用できる。
【００４１】
＜Ｄ：応用例＞
この発明は、各種の電子機器に利用され得る。図１３ないし図１５は、この発明の適用対象となる電子機器の具体的な形態を例示するものである。
【００４２】
図１３は本発明の電気光学装置を採用した電子機器としてのヘッドマウントディスプレイの外観を示す斜視図である。図１３に示されるように、ヘッドマウントディスプレイ３００は、外観的には、一般的な眼鏡と同様にテンプル３１０や、ブリッジ３２０、投射光学系３０１Ｌ、３０１Ｒを有する。図示を省略するが、ブリッジ３２０近傍であって投射光学系３０１Ｌ，３０１Ｒの奥側には、左眼用の電気光学装置１と、右眼用の電気光学装置１とが設けられる。
【００４３】
図１４は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００４４】
図１５は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００４５】
なお、本発明が適用される電子機器としては、図１３ないし図１５に例示した機器のほか、携帯情報端末（ＰＤＡ：Ｐｅｒｓｏｎａｌ  Ｄｉｇｉｔａｌ  Ａｓｓｉｓｔａｎｔｓ）が挙げられる。その他にも、デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末が挙げられる。さらに、プリンター，スキャナー，複写機，ビデオプレーヤー，タッチパネルを備えた機器等などが挙げられる。
【符号の説明】
【００４６】
１…電気光学装置、２…表示パネル、５…制御部、１０…素子部、１２…走査線、１４……第１給電線、１６…データ線、１８…第２給電線、２０…駆動回路、２１…走査線駆動回路、２３…データ線駆動回路、２５…電位生成回路、２６…電圧値設定部、２７…温度検出部、１２１…駆動トランジスター、１２２…選択トランジスター、１３０…ＯＬＥＤ素子、１３２…保持容量、ＧWR…走査信号、ＮＤ…ノード、Ｐ…画素回路、ＶＤ…データ信号。
【図１】
2017223855.tif 000003
【図２】
2017223855.tif 000004
【図３】
2017223855.tif 000005
【図４】
2017223855.tif 000006
【図５】
2017223855.tif 000007
【図６】
2017223855.tif 000008
【図７】
2017223855.tif 000009
【図８】
2017223855.tif 000010
【図９】
2017223855.tif 000011
【図１０】
2017223855.tif 000012
【図１１】
2017223855.tif 000013
【図１２】
2017223855.tif 000014
【図１３】
2017223855.tif 000015
【図１４】
2017223855.tif 000016
【図１５】
2017223855.tif 000017